(57)【要約】  携帯端末３０は、情報記憶媒体２０との近距離無線通信を行うことなく情報記憶媒体２０の認証を行う情報端末４０を示す端末情報を用いて、情報処理装置５０に対して情報記憶媒体２０の認証処理要求を行い、情報処理装置５０から供給された認証情報要求を近距離無線通信で情報記憶媒体２０へ出力する。情報処理装置５０は、携帯端末３０から供給された認証情報応答に基づき情報記憶媒体２０の認証を行い、情報端末４０が情報記憶媒体２０の認証結果を情報処理装置５０から取得する際に用いる認可情報を携帯端末３０へ出力する。携帯端末３０は、記認可情報に基づいた表示を行う。情報端末４０は表示された許可情報を用いて、情報処理装置５０から情報記憶媒体２０のユーザに関する認証結果を得られる。したがって、近接無線通信で情報の読み出しや書き込みが可能な情報記憶媒体の認証を、近接無線通信機能を有していない情報端末で行えるようになる。
2020174802.tif 000002
【特許請求の範囲】
【請求項１】
情報記憶媒体との近距離無線通信を行うことなく前記情報記憶媒体の認証を行う情報端末を示す端末情報を用いて、情報処理装置に対して前記情報記憶媒体の認証処理要求を行い、前記情報記憶媒体の認証結果を前記情報処理装置から前記情報端末で取得する際に用いる認可情報を、前記情報処理装置から取得する情報取得部と、  前記情報取得部で取得された前記認可情報に基づいた表示を行う表示部とを備える携帯端末。
【請求項２】
前記情報取得部は、前記情報記憶媒体と近距離無線通信を行い、前記認証処理要求に応じて前記情報処理装置から供給された認証情報要求を前記情報記憶媒体へ出力して、前記認証情報要求に対応する前記情報記憶媒体からの認証情報応答を前記情報処理装置へ出力する請求項１に記載の携帯端末。
【請求項３】
前記端末情報は、前記情報端末の近傍に位置する無線タグに記憶されており、前記情報取得部は、前記無線タグと近距離無線通信を行うことで前記端末情報を取得する請求項１に記載の携帯端末。
【請求項４】
現在位置を検出する位置検出部をさらに備え、  前記端末情報は、前記情報端末の位置情報と関係付けられて設けられており、  前記情報取得部は、前記位置検出部で検出された現在位置に最も近い位置の端末情報を用いる請求項１に記載の携帯端末。
【請求項５】
前記端末情報は、アプリケーションソフトウェアに含まれており、  前記情報取得部は、前記アプリケーションソフトウェアを動作させて前記端末情報を取得する請求項１に記載の携帯端末。
【請求項６】
前記表示部は、前記認可情報のレンダリングを行い、バーコード画像を表示する請求項１に記載の携帯端末。
【請求項７】
前記情報取得部は、前記端末情報と前記認可情報を用いて前記情報処理装置から暗号化ＩＤコードを取得して、  前記表示部は、前記取得した暗号化ＩＤコードを表示する請求項１に記載の携帯端末。
【請求項８】
前記情報取得部は、前記端末情報に含まれた暗号化ＩＤコード属性情報で示されたコード長の前記暗号化ＩＤコードを前記情報処理装置から取得する請求項７に記載の携帯端末。
【請求項９】
前記情報取得部は、有効期限情報をさらに用いて前記情報処理装置から暗号化ＩＤコードを取得して、前記表示部で表示する暗号化ＩＤコードが有効期限を越えた場合に、前記情報処理装置から前記暗号化ＩＤコードを再度取得する請求項７に記載の携帯端末。
【請求項１０】
前記情報取得部は、前記端末情報に含まれた暗号化ＩＤコード属性情報で示されている有効期限情報を用いる請求項９に記載の携帯端末。
【請求項１１】
情報記憶媒体との近距離無線通信を行うことなく前記情報記憶媒体の認証を行う情報端末を示す端末情報を用いて、情報処理装置に対して前記情報記憶媒体の認証処理要求を行い、前記情報記憶媒体の認証結果を前記情報処理装置から前記情報端末で取得する際に用いる認可情報を、前記情報処理装置から情報取得部で取得することと、  前記情報取得部で取得された前記認可情報に基づいた表示を表示部で行うことを含む情報処理方法。
【請求項１２】
情報記憶媒体との近距離無線通信を行うことなく前記情報記憶媒体の認証を行う情報端末を示す端末情報を用いた携帯端末からの前記情報記憶媒体の認証処理要求に応じて、認証情報要求を前記携帯端末へ出力して、前記携帯端末から供給された認証情報応答に基づき前記情報記憶媒体の認証を行い、前記情報記憶媒体の認証結果を前記情報端末で前記情報処理装置から取得する際に用いる認可情報を前記携帯端末へ出力する認証処理部とを備える情報処理装置。
【請求項１３】
前記認証処理部は、前記認証情報応答で示された前記情報記憶媒体の媒体固有情報に基づいて、予め登録された情報記憶媒体からの認証情報応答であることを検証できたとき前記許可情報を出力する請求項１２に記載の情報処理装置。
【請求項１４】
前記認証処理部は、前記予め登録された情報記憶媒体からの認証情報応答であることを検証できたとき、前記許可情報を前記端末情報と前記情報記憶媒体の媒体固有情報に関係付けてデータベースに登録する請求項１３に記載の情報処理装置。
【請求項１５】
前記認証処理部は、前記情報端末からの認可情報認証要求で示された端末情報と認可情報が前記データベースに登録されている情報との比較結果に基づき許可情報認証応答を生成して前記情報端末に通知する請求項１４に記載の情報処理装置。
【請求項１６】
前記認証処理部は、前記携帯端末からの前記認可情報と暗号化ＩＤコード属性情報を含む前記携帯端末からの暗号化ＩＤコードの要求に応じて、暗号化ＩＤコードを生成して前記携帯端末へ出力して、出力した暗号化ＩＤコードを前記端末情報と前記許可情報と関係付けてデータベースに登録する請求項１２に記載の情報処理装置。
【請求項１７】
前記認証処理部は、前記情報端末からの暗号化ＩＤコード検証要求で示された端末情報と暗号化ＩＤコードが前記データベースに登録されている情報との比較結果に基づき暗号化ＩＤコード認証応答を生成して前記情報端末に通知する請求項１６に記載の情報処理装置。
【請求項１８】
情報記憶媒体との近距離無線通信を行うことなく前記情報記憶媒体の認証を行う情報端末を示す端末情報を用いた携帯端末からの前記情報記憶媒体の認証処理要求に応じて、認証情報要求を前記携帯端末へ出力して、前記携帯端末から供給された認証情報応答に基づき前記情報記憶媒体の認証を行い、前記情報記憶媒体の認証結果を前記情報処理装置から前記情報端末で取得する際に用いる認可情報を認証処理部から前記携帯端末へ出力することを含む情報処理方法。
【発明の詳細な説明】
【技術分野】
【０００１】  この技術は、情報処理装置と携帯端末および情報処理方法に関する。
【背景技術】
【０００２】  非接触ＩＣカードでは、近接無線通信（ＮＦＣ:Near Field Communication）によって情報の読み出し処理または書き込み処理が行われている。例えば特許文献１では、近接無線通信によって非接触ＩＣカードから送信されてきた情報が、リーダライタに保持されている複数種類の非接触ＩＣカードの情報のいずれと一致するかに応じて非接触ＩＣカードの種類を判別して、読み出し処理または書き込み処理が行われている。
【先行技術文献】
【特許文献】
【０００３】
【特許文献１】特開２０１０−１７０１７４号公報
【発明の概要】
【発明が解決しようとする課題】
【０００４】  ところで、ユーザ等の認証に用いる情報端末では、バーコードを読み取るスキャナや暗証番号を入力するＰＩＮパッドが広く用いられている。しかし、近距離無線通信機能（例えばＮＦＣ）を有していない情報端末を用いた場合には、非接触ＩＣカードの認証を行うことができない。【０００５】  そこで、この技術では、近距離無線通信で情報の読み出しや書き込みが可能な情報記憶媒体の認証を、近距離無線通信機能を有していない特定の情報端末を用いて行うことができる情報処理装置と携帯端末および情報処理方法を提供することを目的とする。
【課題を解決するための手段】
【０００６】  この技術の第１の側面は、  情報記憶媒体との近距離無線通信を行うことなく前記情報記憶媒体の認証を行う情報端末を示す端末情報を用いて、情報処理装置に対して前記情報記憶媒体の認証処理要求を行い、前記情報記憶媒体の認証結果を前記情報処理装置から前記情報端末で取得する際に用いる認可情報を、前記情報処理装置から取得する情報取得部と、  前記情報取得部で取得された前記認可情報に基づいた表示を行う表示部とを備える携帯端末にある。【０００７】  この技術では、情報記憶媒体との近距離無線通信を行うことなく情報記憶媒体の認証を行う情報端末を示す端末情報が、端末情報提示部である例えば無線タグに記憶されている。また、端末情報は、情報端末の位置情報と関係付けられて設けられていてもよく、アプリケーションソフトウェアに含まれていてもよい。携帯端末の情報取得部は、無線タグとの近距離無線通信、あるいは現在位置を検出する位置検出部で検出された現在位置、アプリケーションソフトウェアの動作によって端末情報を取得して、取得した端末情報を用いて、情報処理装置に対して情報記憶媒体の認証処理要求を行い、情報記憶媒体の認証結果を情報処理装置から情報端末で取得する際に用いる認可情報を、情報処理装置から取得する。携帯端末の情報取得部は、情報記憶媒体と近距離無線通信を行い、認証処理要求に応じて情報処理装置から供給された認証情報要求を情報記憶媒体へ出力して、認証情報要求に対応する情報記憶媒体からの認証情報応答を情報処理装置へ出力することで、情報記憶媒体の認証を情報処理装置で行えるようにする。【０００８】  携帯端末の表示部では、認可情報のレンダリングを行い、バーコード画像を表示する。また、情報取得部では、端末情報と認可情報を用いて情報処理装置から暗号化ＩＤコードを取得して、表示部では、取得した暗号化ＩＤコードを表示する。情報取得部は、端末情報に含まれた暗号化ＩＤコード属性情報で示されたコード長の暗号化ＩＤコードを情報処理装置から取得する。【０００９】  情報取得部は、例えば端末情報に含まれた暗号化ＩＤコード属性情報で示されている有効期限情報を用いて、情報処理装置から暗号化ＩＤコードを取得して、表示部で表示する暗号化ＩＤコードが有効期限を越えた場合に、情報処理装置から暗号化ＩＤコードを再度取得する。【００１０】  この技術の第２の側面は、  情報記憶媒体との近距離無線通信を行うことなく前記情報記憶媒体の認証を行う情報端末を示す端末情報を用いて、情報処理装置に対して前記情報記憶媒体の認証処理要求を行い、前記情報記憶媒体の認証結果を前記情報処理装置から前記情報端末で取得する際に用いる認可情報を、前記情報処理装置から情報取得部で取得することと、  前記情報取得部で取得された前記認可情報に基づいた表示を表示部で行うことを含む情報処理方法にある。【００１１】  この技術の第３の側面は、  情報記憶媒体との近距離無線通信を行うことなく前記情報記憶媒体の認証を行う情報端末を示す端末情報を用いた携帯端末からの前記情報記憶媒体の認証処理要求に応じて、認証情報要求を前記携帯端末へ出力して、前記携帯端末から供給された認証情報応答に基づき前記情報記憶媒体の認証を行い、前記情報��憶媒体の認証結果を前記情報端末で前記情報処理装置から取得する際に用いる認可情報を前記携帯端末へ出力する認証処理部とを備える情報処理装置にある。【００１２】  この技術では、情報記憶媒体との近距離無線通信を行うことなく情報記憶媒体の認証を行う情報端末を示す端末情報を用いた携帯端末からの情報記憶媒体の認証処理要求に応じて、認証処理部から情報要求を携帯端末へ出力する。また、認証処理部は、携帯端末から供給された認証情報応答に基づき情報記憶媒体の認証を行い、認証情報応答で示された情報記憶媒体の媒体固有情報に基づいて、予め登録された情報記憶媒体からの認証情報応答であることを検証できたとき、情報記憶媒体の認証結果を情報端末で情報処理装置から取得する際に用いる認可情報を携帯端末へ出力する。また、認証処理部は、予め登録された情報記憶媒体からの認証情報応答であることを検証できたとき、許可情報を端末情報と情報記憶媒体の媒体固有情報に関係付けてデータベースに登録する。【００１３】  また、認証処理部は、携帯端末からの認可情報と暗号化ＩＤコード属性情報を含む携帯端末からの暗号化ＩＤコードの要求に応じて、暗号化ＩＤコードを生成して携帯端末へ出力して、出力した暗号化ＩＤコードを端末情報と許可情報と関係付けてデータベースに登録してもよい。【００１４】  さらに、認証処理部は、情報端末からの認可情報検証要求で示された端末情報と認可情報、あるいは情報端末からの暗号化ＩＤコード検証要求で示された端末情報と暗号化ＩＤコードとの比較結果に基づき検証応答を生成して情報端末に通知する。【００１５】  この技術の第４の側面は、  情報記憶媒体との近距離無線通信を行うことなく前記情報記憶媒体の認証を行う情報端末を示す端末情報を用いた携帯端末からの前記情報記憶媒体の認証処理要求に応じて、認証情報要求を前記携帯端末へ出力して、前記携帯端末から供給された認証情報応答に基づき前記情報記憶媒体の認証を行い、前記情報記憶媒体の認証結果を前記情報処理装置から前記情報端末で取得する際に用いる認可情報を認証処理部から前記携帯端末へ出力することを含む情報処理方法にある。
【図面の簡単な説明】
【００１６】
【図１】情報処理システムの構成例を示した図である。
【図２】情報記憶媒体（非接触ＩＣカード）の構成を例示した図である。
【図３】携帯端末の構成を例示した図である。
【図４】情報端末の構成を例示した図である。
【図５】情報処理装置の構成を例示した図である。
【図６】情報処理システムの第１の動作を例示したシーケンス図である。
【図７】コード読み取り処理を示した図である。
【図８】情報処理システムの第２の動作を例示したシーケンス図である。
【図９】コード入力の受け付けを示した図である。
【図１０】暗号化ＩＤコードを再取得するときの動作を例示したシーケンス図である。
【図１１】バーコード画像と暗号化ＩＤコードを表示した場合を例示した図である
【発明を実施するための形態】
【００１７】  以下、本技術を実施するための形態について説明する。なお、説明は以下の順序で行う。  １．情報処理システムの構成  ２．情報記憶媒体の構成  ３．携帯端末の構成  ４．情報端末の構成  ５．情報処理装置の構成  ６．情報処理システムの動作    ６−１．情報処理システムの第１の動作    ６−２．情報処理システムの第２の動作    ６−３．情報処理システムの他の動作
【００１８】  ＜１．情報処理システムの構成＞  図１は、本開示の携帯端末と情報処理装置を用いた情報処理システムの構成例を示している。図１に示した構成例において、情報処理システム１０は、情報記憶媒体（例えば非接触ＩＣカード）２０、携帯端末（例えばスマートフォン）３０、情報端末４０および情報処理装置（例えばサーバ）５０を有している。情報記憶媒体２０は近距離無線通信機能（例えばＮＦＣ）を有している。携帯端末３０は近距離無線通信機能とネットワーク６０に接続されている機器と通信を行う機能を有している。情報端末４０は、近距離無線通信機能を有しておらずネットワーク６０に接続されている機器と通信を行う機能を有している。また、情報処理装置５０は、ネットワーク６０に接続されている機器と通信を行う機能を有している。さらに、情報処理システム１０では、情報端末４０を示す端末情報を携帯端末３０で取得可能とする端末情報提示部７０が設けられている。
【００１９】  端末情報は、情報端末４０を示す場合に限らず情報端末４０が設置された店舗やイベント会場，駅等を示してもよい。例えば、同じ店舗内に複数の情報端末４０が設けられている場合は、店舗内の情報端末４０をグループ化して、端末情報はグループを示す情報としてもよい。また、端末情報は、情報端末４０が設置された店舗やイベント会場，駅等の管理者等を示してもよい。例えば、複数の系列店舗に情報端末４０が設けられている場合は、複数の系列店舗の情報端末４０をグループ化して、端末情報はグループを示す情報としてもよい。なお、以下の説明では、端末情報は情報端末４０を示す情報とする。
【００２０】  携帯端末３０は、情報記憶媒体との近距離無線通信を行うことなく情報記憶媒体２０の認証を行う情報端末４０を示す端末情報を端末情報提示部７０から取得する。例えば、端末情報提示部７０は無線タグ、情報端末４０の管理者あるいは情報処理装置５０が提供するアプリケーションプログラム、あるいは個々の情報端末４０に対して共用のアプリケーションプログラム等で構成されている。携帯端末３０は、無線タグと近距離無線通信を行いあるいはアプリケーションプログラムを実行して端末情報を取得する。
【００２１】  携帯端末３０は、取得した端末情報を用いて、情報処理装置５０に対して情報記憶媒体の認証処理要求を行い、情報記憶媒体の認証結果を情報処理装置５０から情報端末４０で取得する際に用いる認可情報を、情報処理装置５０から取得して、取得した認可情報に基づいた表示を行う。
【００２２】  また、携帯端末３０は、情報記憶媒体２０と近距離無線通信を行い、認証処理要求に応じて情報処理装置５０から供給された認証情報要求を情報記憶媒体２０へ出力して、認証情報要求に対応する情報記憶媒体２０からの認証情報応答を取得する。また、携帯端末３０は、取得した認証情報応答を情報処理装置５０へ出力して、情報端末４０における認証対象の情報記憶媒体の認証を情報処理装置５０で行うようにする。さらに、携帯端末３０は、情報記憶媒体の認証結果を情報処理装置５０から情報端末４０で取得する際に用いる認可情報を情報処理装置５０から取得して、認可情報に基づいた表示を行う。
【００２３】  情報端末４０は、情報記憶媒体２０の認証処理として、携帯端末３０の認可情報に基づく表示を利用した入力を、バーコードリーダ４２ａあるいはＰＩＮ（Personal Identification Number）パッド４２ｂで受け付けて、入力された許可情報と端末情報を含む認可情報検証要求を情報処理装置５０に行い、情報処理装置５０から情報記憶媒体２０の検証結果を取得する。
【００２４】  情報処理装置５０は、情報端末４０を示す端末情報を用いた携帯端末３０からの情報記憶媒体２０の認証処理要求に応じて、認証情報要求を携帯端末３０へ出力して、携帯端末３０から供給された認証情報応答に基づき情報記憶媒体２０の認証を行い、情報記憶媒体２０の認証結果を情報端末４０で情報処理装置５０から取得する際に用いる認可情報を携帯端末３０へ出力する。また、認証処理部は、携帯端末からの認可情報と暗号化ＩＤコード属性情報を含む携帯端末からの暗号化ＩＤコードの要求に応じて、暗号化ＩＤコードを生成して携帯端末へ出力してもよい。なお、暗号化ＩＤコードは、情報記憶媒体の認証結果を情報処理装置５０から情報端末４０で取得する際に用いる情報であり、ユーザが認識可能なコード番号である。また、情報処理装置５０は、情報端末４０からの認可情報あるいは暗号化ＩＤコードの検証要求に応じて検証を行い、検証結果を示す検証応答を生成して情報端末４０へ出力する。
【００２５】  ＜２．情報記憶媒体の構成＞  図２は、情報記憶媒体の構成を例示している。なお、以下の説明において、情報記憶媒体２０は非接触ＩＣカードとする。
【００２６】  情報記憶媒体２０は、アンテナ２１、電源部２２、通信部２３、記憶部２４、制御部２５を有している。アンテナ２１は、携帯端末３０と電磁誘導により結合して、情報等の伝送や電力の授受を行うためのものであり、電源部２２と通信部２３に接続されている。
【００２７】  電源部２２は、携帯端末３０と電磁誘導により結合されたことでアンテナ２１に生じた交流電圧の直流定電圧化を行い、通信部２３と記憶部２４および制御部２５へ電力を供給する。
【００２８】  通信部２３は、アンテナ２１で受信した無線信号を復調して得られた受信信号を制御部２５へ出力する。また、通信部２３は、制御部２５から供給された送信信号を変調して、アンテナ２１から無線信号として送信する。
【００２９】  記憶部２４は各種情報を記憶する。例えば記憶部２４には、情報記憶媒体２０に固有の媒体固有情報や情報記憶媒体２０の利用状況、情報処理装置から供給された情報等が記憶される。
【００３０】  制御部２５は、携帯端末３０からのコマンドに応じて、記憶部２４に記憶されている情報の読み出しや記憶部２４に対する情報の書き込み等を行う。
【００３１】  ＜３．携帯端末の構成＞  図３は、携帯端末の構成を例示している。携帯端末３０は、入力部３１、ＮＦＣ部３２、ネットワーク通信部３３、記憶部３４、表示部３５、位置検出部３６、撮像部３７および制御部３８を有している。
【００３２】  入力部３１は、タッチパネルやスイッチ，入力キー等を用いて構成されており、ユーザ操作に応じた操作信号を制御部３８へ出力する。例えば、入力部３１では、非接触ＩＣカードの認証に関する操作や通話に関する操作、電子メールの作成や送受信のための操作、携帯端末の動作を設定する操作や動作を変更する操作等が行われる。また、入力部３１はマイクロフォン等を用いて構成されていてもよく、例えば各種操作指示音声や通話音声を取得して制御部３８へ出力する。さらに、入力部３１は、赤外線やその他の電波を利用したリモートコントロール信号を受信して、受信信号を制御部３８へ出力する構成であってもよい。
【００３３】  ＮＦＣ部３２は、情報記憶媒体２０と近距離無線通信を行い、情報記憶媒体２０との情報伝送や情報記憶媒体２０に対する電力供給を行う。
【００３４】  ネットワーク通信部３３は、Ｂｌｕｅｔｏｏｔｈ（登録商標）を利用した通信、Ｗｉ−Ｆｉ（登録商標）を利用した通信、モバイル通信等を行う。
【００３５】  記憶部３４は、半導体メモリ等を用いて構成されており、制御部３８で実行される制御プログラムやアプリケーションプログラム、これらのプログラムを実行する際に用いられるデータやプログラムを実行したことにより生成されたデータ等が記憶される。
【００３６】  表示部３５は、液晶表示素子や有機ＥＬ（Electro Luminescence）表示素子等を用いて構成されている。表示部３５では、各種メニュー表示，動作状態や設定状態等を示す表示、各種アプリケーションの動作表示、各種情報の表示等を行う。
【００３７】  位置検出部３６は、測位信号受信部やジャイロセンサ，加速度センサ等を用いて構成されており、測位信号やセンサ信号に基づき携帯端末の現在位置を検出して、検出結果を制御部３８へ出力する。
【００３８】  撮像部３７は、レンズや撮像素子等を用いて構成されており撮像信号を制御部３８へ出力する。
【００３９】  制御部３８は、例えばＣＰＵ（Central Processing Unit）等を用いて構成されている。制御部３８は、記憶部３４に記憶されているプログラムを実行する。また、制御部３８は、入力部３１からの操作信号に基づき、携帯端末３０でユーザ操作に応じた動作が行われるように各部を制御する。また、制御部３８は、情報記憶媒体２０との近距離無線通信を行うことなく情報記憶媒体２０の認証を行う情報端末４０を示す端末情報を用いて、情報処理装置５０に対して情報記憶媒体２０の認証処理要求を行い、情報記憶媒体２０の認証結果を情報端末４０で情報処理装置５０から取得する際に用いる認可情報を、情報処理装置５０から取得する情報取得部としての動作を行う。
【００４０】  ＜４．情報端末の構成＞  次に、情報端末の構成について説明する。図４は情報端末の構成を例示している。情報端末４０は、入力部４１、許可情報取得部４２、ネットワーク通信部４３、記憶部４４、表示部４５および制御部４６を有している。
【００４１】  入力部４１は、タッチパネルや入力キー等を用いて構成されており、ユーザ操作に応じた操作信号を制御部４６へ出力する。例えば、入力部４１では、情報端末の動作を設定する操作や動作を変更する操作等が行われる。
【００４２】  許可情報取得部４２は、１次元あるいは２次元のバーコードを読み取るバーコードリーダ４２ａとＰＩＮパッド４２ｂの少なくともいずれかを用いて構成されている。許可情報取得部４２は、携帯端末３０等で表示されたバーコードの読み取り、あるいはＰＩＮパッドで暗号化ＩＤコードの入力を受け付けて、読み取ったコードあるいは入力されたコードを示す認可情報を制御部４６へ出力する。
【００４３】  ネットワーク通信部４３は、Ｗｉ−Ｆｉ（登録商標）を利用した通信、有線ＬＡＮを利用した通信等を行い、情報処理装置５０との情報の通信を行う。
【００４４】  記憶部４４は、半導体メモリ等を用いて構成されている。また、記憶部４４は、例えばハードディスクドライブ（ＨＤＤ：Hard Disk Drive）等の磁気記憶デバイス、光記憶デバイス、または光磁気記憶デバイス等を用いて構成されてもよい。記憶部４４は、制御部４６で実行するプログラムやプログラムを実行する際に用いられるデータ，プログラムを実行したことにより生成されたデータ等が記憶される。
【００４５】  表示部４５は、液晶表示素子や有機ＥＬ（Electro Luminescence）表示素子等を用いて構成されている。表示部４５では、情報端末４０の動作状態や設定状態、動作設定メニュー表示等を行う。
【００４６】  制御部４６は、例えばＣＰＵ（Central Processing Unit）等を用いて構成されている。制御部４６は、記憶部４４に記憶されているプログラムを実行する。また、制御部４６は、入力部４１からの操作信号に基づき、情報端末４０でユーザ操作に応じた動作が行われるように各部を制御する。さらに、制御部４６は、入力された許可情報と端末情報を含む認可情報検証要求を情報処理装置５０に対して行い、情報処理装置５０から情報記憶媒体２０の認証結果を取得する。
【００４７】  ＜５．情報処理装置の構成＞  次に、情報処理装置の構成について説明する。図５は情報処理装置の構成を例示している。情報処理装置５０は、ネットワーク通信部５１、データベース５２、入力部５３、表示部５４、認証処理部５５を有している。
【００４８】  ネットワーク通信部５１は、携帯端末３０や情報端末４０と通信を行うためのものである。ネットワーク通信部５１は、例えば携帯端末３０からの要求を受信して認証処理部５５へ出力して、この要求に応じて認証処理部５５で処理を行うことにより生成された情報を携帯端末３０へ送信する。また、情報端末４０からの要求を受信して認証処理部５５へ出力して、この要求に応じて処理を行うことにより生成された情報を携帯端末３０へ送信する。
【００４９】  データベース５２には、非接触ＩＣカードの利用者に関する種々の情報や、情報端末毎の情報等が格納されている。
【００５０】  入力部５３は、キーボードやタッチパネル，ポインティングデバイス等を用いて構成されており、ユーザ操作に応じた操作信号を認証処理部５５へ出力する。例えば、入力部５３では、情報処理部の動作を設定する操作や動作状況の確認操作、データベース５２に記憶されている情報の確認や更新等の操作が行われる。
【００５１】  表示部５４は、液晶表示素子や有機ＥＬ（Electro Luminescence）表示素子等を用いて構成されている。表示部５４では、情報処理装置５０の動作状態や設定状態、データベース５２に記憶されている情報の表示や更新画面表示等を行う。
【００５２】  認証処理部５５は、入力部５３から操作信号に基づき各部を制御して、ユーザ操作に応じた情報処理を行う。例えば、認証処理部５５は、ネットワーク通信部５１で受信した要求に応じて、データベース５２に記憶されている情報を用いて処理を行い、要求に応じた応答を生成してネットワーク通信部５１へ出力する。また、認証処理部５５は、ネットワーク通信部５１で受信した情報に基づき、データベース５２に記憶されている情報の更新やデータベース５２への情報の登録等を行う。さらに、認証処理部５５は、情報端末４０を示す端末情報を用いた携帯端末３０からの情報記憶媒体２０の認証処理要求に応じて、認証情報要求を携帯端末３０へ出力して、携帯端末３０から供給された認証情報応答に基づき情報記憶媒体の認証を行い、情報記憶媒体２０の認証結果を情報端末４０で情報処理装置５０から取得する際に用いる認可情報を携帯端末３０へ出力する処理等を行う。
【００５３】  また、認証処理部５５は、携帯端末３０からの認可情報と暗号化ＩＤコード属性情報を含む携帯端末からの暗号化ＩＤコードの要求に応じて、暗号化ＩＤコードを生成して携帯端末へ出力する。さらに、認証処理部は、情報端末からの認可情報検証要求あるいは暗号化ＩＤコード検証要求に応じて検証を行い、情報記憶媒体の認証結果を示す検証応答を情報端末に通知する。
【００５４】  ＜６．情報処理システムの動作＞  次に情報処理システムの動作について説明する。情報処理システム１０では、情報端末４０における許可情報取得部４２の構成に応じて、情報記憶媒体２０の認証結果を情報端末４０で情報処理装置５０から取得する際に用いる認可情報を生成する。例えば、許可情報取得部４２がバーコードリーダ４２ａを用いて構成されている場合、情報処理装置５０は、認可コード方式を用いて認可情報の生成を行い、認可コードを生成する。また、許可情報取得部４２がＰＩＮパッドを用いて構成されている場合、情報処理装置５０は、暗号化ＩＤコード方式を用いて認可情報の生成を行い、暗号化ＩＤコードを生成する。
【００５５】  次に、認可コード方式を用いた場合を情報処理システムの第１の動作、暗号化ＩＤコード方式を用いた場合を情報処理システムの第２の動作として説明する。なお、以下の説明では、端末情報提示部７０として無線タグを用いた場合を例示している。
【００５６】  ＜６−１．情報処理システムの第１の動作＞  図６は、情報処理システムの第１の動作を例示したシーケンス図である。ステップＳＴ１で携帯端末３０はポーリングを行う。携帯端末３０は、近距離無線通信が可能な端末情報提示部（無線タグ）７０を検出するためポーリングを行う。
【００５７】  ステップＳＴ２で端末情報提示部７０は、携帯端末３０からのポーリングに対して応答処理を行う。端末情報提示部７０には情報処理装置５０で生成された端末情報が予め記憶されており、端末情報提示部７０は、ポーリングに応じて端末情報を携帯端末３０へ出力する。端末情報には、情報端末４０に設定された情報端末固有の情報端末識別ＩＤが含まれている。
【００５８】  ステップＳＴ３で携帯端末３０は、情報処理装置５０に対して情報記憶媒体の認証処理要求を行う。携帯端末３０は、認証処理要求にステップＳＴ２で端末情報提示部７０から取得した端末情報を含めることで、端末情報で示された情報端末４０における認証対象の情報記憶媒体についての認証処理要求であることを、情報処理装置５０で判別できるようにする。
【００５９】  ステップＳＴ４で情報処理装置５０は認証情報要求を携帯端末３０へ出力する。情報処理装置５０は、端末情報で示された情報端末４０における認証対象の情報記憶媒体から、認証に必要な情報を読み出すための認証情報要求のコマンドを生成して携帯端末３０へ出力する。
【００６０】  ステップＳＴ５で携帯端末３０は近距離無線通信が可能な情報記憶媒体２０を検出するためポーリングを行う。ここで、携帯端末３０のユーザは、情報記憶媒体２０と携帯端末３０で近距離無線通信が可能となるように、情報記憶媒体２０と携帯端末３０との間隔を調整して、ポーリングに対して情報記憶媒体２０が応答を行えるようにする。
【００６１】  ステップＳＴ６で情報記憶媒体２０は、携帯端末３０からのポーリングに対して応答処理を行い、媒体固有情報（例えばカード識別子ＣＩＤ）を携帯端末３０へ出力する。なお、ポーリングに対して応答を行った情報記憶媒体２０は、情報端末４０における認証対象の情報記憶媒体である。
【００６２】  ステップＳＴ７で携帯端末３０は、情報処理装置５０から供給された認証情報要求を、近距離無線通信で情報記憶媒体２０へ出力する。
【００６３】  ステップＳＴ８で情報記憶媒体２０は、認証情報要求のコマンドに対する認証情報レスポンスを生成して、近距離無線通信で携帯端末３０へ出力する。
【００６４】  ステップＳＴ９で携帯端末３０は認証情報応答を情報処理装置５０へ出力する。携帯端末３０は、ステップＳＴ６で取得した媒体固有情報と、ステップＳＴ８で取得した認証情報レスポンスを含む認証情報応答を生成して情報処理装置５０へ出力する。
【００６５】  ステップＳＴ１０で情報処理装置５０は情報記憶媒体認証処理を行う。情報処理装置５０は、例えば認証情報応答で示された媒体固有情報に対応する予め登録されている鍵情報を用いて認証情報レスポンスの正当性を検証する。また、情報処理装置５０は、正当性が検証されたことに応じて認可情報を生成する。さらに、情報処理装置５０は、情報端末４０を示す端末情報と、認証された情報記憶媒体２０を示す媒体固有情報、および生成した認可情報を関連付けてデータベースに登録する。
【００６６】  このような処理を行うことで、情報処理装置５０は、情報端末４０における認証対象の情報記憶媒体が登録されている情報記憶媒体であるか、携帯端末３０を介して判別できるようになる。
【００６７】  ステップＳＴ１１で情報処理装置５０は認可情報を出力する。情報処理装置５０はステップＳＴ１０で生成した認可情報を携帯端末３０へ出力する。
【００６８】  ステップＳＴ１２で携帯端末３０は認可情報表示処理を行う。携帯端末３０の表示部３５は、情報処理装置５０から取得した認可情報のレンダリングを行い、情報端末４０の許可情報取得部４２で読み取り可能なバーコード画像を生成して表示する。
【００６９】  ステップＳＴ１３で情報端末４０はコード読み取り処理を行う。情報端末４０の許可情報取得部４２のバーコードリーダ４２ａは、携帯端末３０で表示されているバーコード画像をスキャンして認可情報を取得する。図７は、コード読み取り処理を示しており、情報端末４０の使用者は、携帯端末３０で表示されているバーコード画像ＧＢをバーコードリーダ４２ａで読み取ることで、許可情報を取得する。
【００７０】  ステップＳＴ１４で情報端末４０は認可情報検証要求を情報処理装置５０へ出力する。情報端末４０は、自身を示す端末情報とステップＳＴ１３で取得した許可情報を認可情報検証要求に含める。
【００７１】  ステップＳＴ１５で情報処理装置５０は許可情報検証処理を行う。情報処理装置５０は認可情報検証要求で示された許可情報と端末情報が関連付けてデータベースに登録されているか判別する。情報処理装置５０は、認可情報検証要求で示された許可情報と端末情報が関連付けてデータベースに登録されている場合に、情報記憶媒体のユーザを示す情報（例えばＩＤトークン）を示す許可情報検証応答を生成する。また、認可情報検証要求で示された許可情報と端末情報が関連付けてデータベースに登録されていない場合、情報記憶媒体が許可されないことを示す許可情報検証応答を生成する。
【００７２】  ステップＳＴ１６で情報処理装置５０は許可情報検証応答を出力する。情報処理装置５０は、ステップＳＴ１５で生成した許可情報検証応答を情報端末４０へ出力する。
【００７３】  このような処理を行えば、情報記憶媒体２０との近距離無線通信を行うことができない情報端末４０であっても、情報記憶媒体２０との近距離無線通信が可能な携帯端末３０と情報処理装置５０を利用して、情報記憶媒体２０の認証を行うことができるようになる。
【００７４】  ＜６−２．情報処理システムの第２の動作＞  図８は、情報処理システムの第２の動作を例示したシーケンス図である。ステップＳＴ２１で携帯端末３０はポーリングを行う。携帯端末３０は、近距離無線通信が可能な端末情報提示部（無線タグ）７０を検出するためポーリングを行う。
【００７５】  ステップＳＴ２２で端末情報提示部７０は、携帯端末３０からのポーリングに対して応答処理を行う。端末情報提示部７０には情報処理装置５０で生成された端末情報が予め記憶されており、端末情報提示部７０は、ポーリングに応じて端末情報を携帯端末３０へ出力する。端末情報には、情報端末４０に設定された情報端末固有の情報端末識別ＩＤと暗号化ＩＤコード属性情報が含まれている。暗号化ＩＤコード属性情報では、例えば暗号化ＩＤコードの有効期限およびコード長が示されている。
【００７６】  ステップＳＴ２３で携帯端末３０は、情報処理装置５０に対して情報記憶媒体の認証処理要求を行う。携帯端末３０は、認証処理要求にステップＳＴ２２で端末情報提示部７０から取得した端末情報を含めることで、端末情報で示された情報端末４０における認証対象の情報記憶媒体の認証処理要求であることを、情報処理装置５０で判別できるようにする。また、携帯端末３０は、端末情報に暗号化ＩＤコード属性情報が含まれている場合、暗号化ＩＤコード方式であることを判別して、後述するステップＳＴ３２で示すように暗号化ＩＤコード要求を行う。
【００７７】  ステップＳＴ２４で情報処理装置５０は認証情報要求を携帯端末３０へ出力する。情報処理装置５０は、端末情報で示された情報端末４０における認証対象の情報記憶媒体から、認証に必要な情報を読み出すための認証情報要求のコマンドを生成して携帯端末３０へ出力する。
【００７８】  ステップＳＴ２５で携帯端末３０は近距離無線通信が可能な情報記憶媒体２０を検出するためポーリングを行う。ここで、携帯端末３０のユーザは、情報記憶媒体２０と携帯端末３０で近距離無線通信が可能となるように、情報記憶媒体２０と携帯端末３０との間隔を調整して、ポーリングに対して情報記憶媒体２０が応答を行えるようにする。
【００７９】  ステップＳＴ２６で情報記憶媒体２０は、携帯端末３０からのポーリングに対して応答処理を行い、媒体固有情報（例えばカード識別子ＣＩＤ）を携帯端末３０へ出力する。なお、ポーリングに対して応答を行った情報記憶媒体２０は、情報端末４０における認証対象の情報記憶媒体である。
【００８０】  ステップＳＴ２７で携帯端末３０は、情報処理装置５０から供給された認証情報要求を、近距離無線通信で情報記憶媒体２０へ出力する。
【００８１】  ステップＳＴ２８で情報記憶媒体２０は、認証情報要求のコマンドに対する認証情報レスポンスを生成して、近距離無線通信で携帯端末３０へ出力する。
【００８２】  ステップＳＴ２９で携帯端末３０は認証情報応答を情報処理装置５０へ出力する。携帯端末３０は、ステップＳＴ２６で取得した媒体固有情報と、ステップＳＴ２８で取得した認証情報レスポンスを含む認証情報応答を生成して情報処理装置５０へ出力する。
【００８３】  ステップＳＴ３０で情報処理装置５０は情報記憶媒体認証処理を行う。情報処理装置５０は、例えば認証情報応答で示された媒体固有情報に対応する予め登録されている鍵情報を用いて認証情報レスポンスの正当性を検証する。また、情報処理装置５０は、正当性が検証されたことに応じて認可情報を生成する。さらに、情報処理装置５０は、情報端末４０を示す端末情報と、認証された情報記憶媒体２０を示す媒体固有情報と、生成した認可情報を関連付けてデータベースに登録する。
【００８４】  このような処理を行うことで、情報処理装置５０は、情報端末４０における認証対象の情報記憶媒体が登録されている情報記憶媒体であるか、携帯端末３０を介して判別できるようになる。
【００８５】  ステップＳＴ３１で情報処理装置５０は認可情報を出力する。情報処理装置５０はステップＳＴ３０で生成した認可情報を携帯端末３０へ出力する。
【００８６】  第２の動作では暗号化ＩＤコード方式を用いることから、ステップＳＴ３２で携帯端末３０は、情報処理装置５０に対して暗号化ＩＤコード要求を行う。携帯端末３０は、暗号化ＩＤコード要求に、情報端末４０を示す端末情報とステップＳＴ３１で取得した認可情報およびステップＳＴ２２で端末情報提示部７０から取得した暗号化ＩＤコード属性情報を含めることで、暗号化ＩＤコード属性情報で示された有効期限かつコード長であって認可情報に対応した暗号化ＩＤコードを情報処理装置５０で生成できるようにする。
【００８７】  ステップＳＴ３３で情報処理装置５０は暗号化ＩＤコード生成処理を行う。情報処理装置５０は暗号化ＩＤコード要求に応じて、暗号化ＩＤコード属性情報で示された有効期限かつコード長であって認可情報に対応した暗号化ＩＤコードを生成する。して携帯端末３０へ出力する。また、情報処理装置５０は、情報端末４０を示す端末情報と認可情報と暗号化ＩＤコード属性情報と生成した暗号化ＩＤコードを関連付けてデータベースに登録する。
【００８８】  このような処理を行うことで、情報処理装置５０は、その後に情報端末４０から供給される暗号化ＩＤコード検証要求が、登録されている情報端末からの検証要求であって許可情報に基づいて生成された暗号化ＩＤコードの検証であるか判別できるようになる。
【００８９】  ステップＳＴ３４で情報処理装置５０は暗号化ＩＤコードを出力する。情報処理装置５０は、ステップＳＴ３３で生成した暗号化ＩＤコードを携帯端末３０へ出力する。
【００９０】  ステップＳＴ３５で携帯端末３０は暗号化ＩＤコード表示処理を行う。携帯端末３０は情報処理装置５０から取得した暗号化ＩＤコードを表示部４５に表示する。
【００９１】  ステップＳＴ３６で情報端末４０はコード入力の受け付けを行う。情報端末４０の許可情報取得部４２は、ＰＩＮパッドを用いた暗号化ＩＤコードの入力操作を受け付けることで暗号化ＩＤコードを取得する。図９は、コード入力の受け付けを示しており、情報端末４０の使用者は、携帯端末３０に表示されている暗号化ＩＤコードＧＣをＰＩＮバッド４２ｂで入力させることで許可情報を取得する。
【００９２】  ステップＳＴ３７で情報端末４０は暗号化ＩＤコード検証要求を情報処理装置５０へ出力する。情報端末４０は、情報端末４０を示す端末情報とステップＳＴ３５で取得した暗号化ＩＤコードを暗号化ＩＤコード検証要求に含める。
【００９３】  ステップＳＴ３８で情報処理装置５０は暗号化ＩＤコード検証処理を行う。情報処理装置５０は暗号化ＩＤコード検証要求で示された暗号化ＩＤコードと端末情報が関連付けてデータベースに登録されており、暗号化ＩＤコードが有効期限を越えていないか判別する。情報処理装置５０は、暗号化ＩＤコード検証要求で示された暗号化ＩＤコードと端末情報が関連付けてデータベースに登録されており、暗号化ＩＤコードが有効期限を越えていない場合、情報記憶媒体のユーザを示す情報（例えばＩＤトークン）を示す暗号化ＩＤコード検証応答を生成する。また、情報処理装置５０は、暗号化ＩＤコード検証要求で示された暗号化ＩＤコードと端末情報が関連付けてデータベースに登録されていない場合、情報記憶媒体が許可されないことを示す暗号化ＩＤコード情報検証応答を生成する。また、情報処理装置５０は、暗号化ＩＤコード検証要求で示された暗号化ＩＤコードと端末情報が関連付けてデータベースに登録されており、暗号化ＩＤコードが有効期限を越えている場合、有効期限を過ぎていることを示す暗号化ＩＤコード情報検証応答を生成する。
【００９４】  ステップＳＴ３９で情報処理装置５０は暗号化ＩＤコード検証応答を出力する。情報処理装置５０は、ステップＳＴ３８で生成した暗号化ＩＤコード検証応答を情報端末４０へ出力する。
【００９５】  このような処理を行えば、情報記憶媒体２０との近距離無線通信を行うことができない情報端末４０であっても、情報記憶媒体２０との近距離無線通信が可能な携帯端末３０と情報処理装置５０を利用して、情報記憶媒体２０の認証を行うことができるようになる。
【００９６】  ところで、暗号化ＩＤコードが有効期限を過ぎている場合、情報端末４０は、情報記憶媒体のユーザを示す情報を取得できない。この場合、情報端末４０は、携帯端末３０のユーザに対して、情報処理装置５０から暗号化ＩＤコードを再度取得する操作指示を行うようにしてもよい。
【００９７】  図１０は、暗号化ＩＤコード情報検証応答で有効期限を過ぎていることが示されて、暗号化ＩＤコードを再取得するときの動作を例示したシーケンス図を示している。
【００９８】  ステップＳＴ４１で情報端末４０は再取得操作指示を行う。情報端末４０は、情報処理装置５０から出力された暗号化ＩＤコード検証応答で有効期限を過ぎていることが示された場合、例えば有効期限が過ぎているため新たな暗号化ＩＤコードの入力が必要である旨の表示を行う。
【００９９】  ステップＳＴ４２で携帯端末３０は、情報処理装置５０に対して暗号化ＩＤコード要求を行う。携帯端末３０は上述のステップＳＴ３２と同様な処理を行い、情報処理装置５０に対して暗号化ＩＤコード要求を行う。
【０１００】  ステップＳＴ４３で情報処理装置５０は暗号化ＩＤコード生成処理を行う。情報処理装置５０は暗号化ＩＤコード要求に応じて、暗号化ＩＤコード属性情報で示された有効期限かつコード長であって認可情報に対応した新たな暗号化ＩＤコードを生成する。また、情報処理装置５０は、情報端末４０を示す端末情報と認可情報と暗号化ＩＤコード属性情報と生成した新たな暗号化ＩＤコードを関連付けてデータベースに登録する。なお、新たな暗号化ＩＤコードは、先のステップＳＴ３３で生成された暗号化ＩＤコードと異なるコードである。
【０１０１】  このような処理を行うことで、情報処理装置５０は、その後に情報端末４０から供給される暗号化ＩＤコード検証要求が、登録されている情報端末からの検証要求であって許可情報に基づいて生成された新たな暗号化ＩＤコードの検証であるか判別できるようになる。
【０１０２】  ステップＳＴ４４で情報処理装置５０は暗号化ＩＤコードを出力する。情報処理装置５０は、ステップＳＴ４３で生成した暗号化ＩＤコードを携帯端末３０へ出力する。
【０１０３】  ステップＳＴ４５で携帯端末３０は暗号化ＩＤコード表示処理を行う。携帯端末３０は情報処理装置５０から取得した新たな暗号化ＩＤコードを表示部４５に表示する。
【０１０４】  ステップＳＴ４６で情報端末４０はコード入力の受け付けを行う。情報端末４０の許可情報取得部４２は、ＰＩＮパッドを用いた暗号化ＩＤコードの入力操作を受け付けることで新たな暗号化ＩＤコードを取得する。
【０１０５】  ステップＳＴ４７で情報端末４０は暗号化ＩＤコード検証要求を情報処理装置５０へ出力する。情報端末４０は、情報端末４０を示す端末情報とステップＳＴ４６で取得した新たな暗号化ＩＤコードを暗号化ＩＤコード検証要求に含める。
【０１０６】  ステップＳＴ４８で情報処理装置５０は暗号化ＩＤコード検証処理を行う。情報処理装置５０は暗号化ＩＤコード検証要求で示された新たな暗号化ＩＤコードと端末情報が関連付けてデータベースに登録されており、新たな暗号化ＩＤコードが有効期限を越えていないか判別する。情報処理装置５０は、暗号化ＩＤコード検証要求で示された新たな暗号化ＩＤコードと端末情報が関連付けてデータベースに登録されており、新たな暗号化ＩＤコードが有効期限を越えていない場合、情報記憶媒体のユーザを示す情報（例えばＩＤトークン）を示す暗号化ＩＤコード検証応答を生成する。
【０１０７】  ステップＳＴ４９で情報処理装置５０は暗号化ＩＤコード検証応答を出力する。情報処理装置５０は、ステップＳＴ４８で生成した暗号化ＩＤコード検証応答を情報端末４０へ出力する。
【０１０８】  このような処理を行えば、情報処理装置５０は有効期限内の暗号化ＩＤコードを用いて、情報端末４０に対して、情報記憶媒体２０との近距離無線通信が可能な携帯端末３０と情報処理装置５０を利用して、情報記憶媒体２０のユーザを示す情報を提供できるようになる。
【０１０９】  ＜６−３．情報処理システムの他の動作＞  本技術の情報処理システム１０は上述の動作に限られるものではない。例えば、許可情報取得部４２がバーコードリーダ４２ａとＰＩＮパッド４２ｂを用いて構成されている場合、情報処理装置５０は、いずれの方式を用いて許可情報の生成を行ってもよい。
【０１１０】  また、端末情報提示部７０では、情報端末４０が許可コード方式と暗号化ＩＤコード方式のいずれに対応しているかを示す方式識別情報を携帯端末３０へ出力してもよい。さらに、端末情報提示部７０は、無線タグに限らず情報提示画像あるいは情報提示音声等を利用して端末情報の提供を行うようにしてもよい。この場合、携帯端末３０は、撮像部３７で情報提示画像を撮像して、あるいは入力部３１で情報提示音声を取り込んで端末情報を取得してもよい。例えば店舗内に情報提示画像を設けて、あるいは情報提示音声を店舗内で案内音声と出力して、情報提示画像あるいは情報提示音声から端末情報を取得できるようにしてもよい。さらに、情報端末４０が店舗やイベント会場や交通機関等の入場ゲート等に設けられている場合、店舗やイベント会場や交通機関等のＷｅｂページから端末情報を、ネットワーク通信部３３を介して取得できるようにしてもよい。
【０１１１】  携帯端末３０は、許可情報と暗号化ＩＤコードを取得したとき、許可情報に基づくバーコード画像ＧＢと暗号化ＩＤコードＧＣを、図１１に示すように同一画面で表示してもよい。
【０１１２】  明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させる。または、各種処理が実行可能な汎用コンピュータにプログラムをインストールして実行させることが可能である。
【０１１３】  例えば、プログラムは記録媒体としてのハードディスクやＳＳＤ（Solid State Drive）、ＲＯＭ（Read Only Memory）に予め記録しておくことができる。あるいは、プログラムはフレキシブルディスク、ＣＤ−ＲＯＭ（Compact Disc Read Only Memory），ＭＯ（Magneto optical）ディスク，ＤＶＤ（Digital Versatile Disc）、ＢＤ（Blu-Ray Disc（登録商標））、磁気ディスク、半導体メモリカード等のリムーバブル記録媒体に、一時的または永続的に格納（記録）しておくことができる。このようなリムーバブル記録媒体は、いわゆるパッケージソフトウェアとして提供することができる。
【０１１４】  また、プログラムは、リムーバブル記録媒体からコンピュータにインストールする他、ダウンロードサイトからＬＡＮ（Local Area Network）やインターネット等のネットワークを介して、コンピュータに無線または有線で転送してもよい。コンピュータでは、そのようにして転送されてくるプログラムを受信し、内蔵するハードディスク等の記録媒体にインストールすることができる。
【０１１５】  なお、本明細書に記載した効果はあくまで例示であって限定されるものではなく、記載されていない付加的な効果があってもよい。また、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、請求の範囲を参酌すべきである。
【０１１６】  また、本技術の携帯端末は以下のような構成も取ることができる。  （１）  情報記憶媒体との近距離無線通信を行うことなく前記情報記憶媒体の認証を行う情報端末を示す端末情報を用いて、情報処理装置に対して前記情報記憶媒体の認証処理要求を行い、前記情報記憶媒体の認証結果を前記情報処理装置から前記情報端末で取得する際に用いる認可情報を、前記情報処理装置から取得する情報取得部と、  前記情報取得部で取得された前記認可情報に基づいた表示を行う表示部とを備える携帯端末。  （２）  前記情報取得部は、前記情報記憶媒体と近距離無線通信を行い、前記認証処理要求に応じて前記情報処理装置から供給された認証情報要求を前記情報記憶媒体へ出力して、前記認証情報要求に対応する前記情報記憶媒体からの認証情報応答を前記情報処理装置へ出力する（１）に記載の携帯端末。  （３）  前記端末情報は、前記情報端末の近傍に位置する無線タグに記憶されており、前記情報取得部は、前記無線タグと近距離無線通信を行うことで前記端末情報を取得する（１）または（２）に記載の携帯端末。  （４）  現在位置を検出する位置検出部をさらに備え、  前記端末情報は、前記情報端末の位置情報と関係付けられて設けられており、  前記情報取得部は、前記位置検出部で検出された現在位置に最も近い位置の端末情報を用いる（１）または（２）に記載の携帯端末。  （５）  前記端末情報は、アプリケーションソフトウェアに含まれており、  前記情報取得部は、前記アプリケーションソフトウェアを動作させて前記端末情報を取得する（１）または（２）に記載の携帯端末。  （６）  前記表示部は、前記認可情報のレンダリングを行い、バーコード画像を表示する（１）乃至（５）のいずれかに記載の携帯端末。  （７）  前記情報取得部は、前記端末情報と前記認可情報を用いて前記情報処理装置から暗号化ＩＤコードを取得して、  前記表示部は、前記取得した暗号化ＩＤコードを表示する（１）乃至（５）のいずれかに記載の携帯端末。  （８）  前記情報取得部は、前記端末情報に含まれた暗号化ＩＤコード属性情報で示されたコード長の前記暗号化ＩＤコードを前記情報処理装置から取得する（７）に記載の携帯端末。  （９）  前記情報取得部は、有効期限情報をさらに用いて前記情報処理装置から暗号化ＩＤコードを取得して、前記表示部で表示する暗号化ＩＤコードが有効期限を越えた場合に、前記情報処理装置から前記暗号化ＩＤコードを再度取得する（７）または（８）に記載の携帯端末。  （１０）  前記情報取得部は、前記端末情報に含まれた暗号化ＩＤコード属性情報で示されている有効期限情報を用いる（９）に記載の携帯端末。
【０１１７】  また、本技術の情報処理装置は以下のような構成も取ることができる。  （１）  情報記憶媒体との近距離無線通信を行うことなく前記情報記憶媒体の認証を行う情報端末を示す端末情報を用いた携帯端末からの前記情報記憶媒体の認証処理要求に応じて、認証情報要求を前記携帯端末へ出力して、前記携帯端末から供給された認証情報応答に基づき前記情報記憶媒体の認証を行い、前記情報記憶媒体の認証結果を前記情報処理装置から前記情報端末で取得する際に用いる認可情報を前記携帯端末へ出力する認証処理部とを備える情報処理装置。  （２）  前記認証処理部は、前記認証情報応答で示された前記情報記憶媒体の媒体固有情報に基づいて、予め登録された情報記憶媒体からの認証情報応答であることを検証できたとき前記許可情報を出力する（１）に記載の情報処理装置。  （３）  前記認証処理部は、前記予め登録された情報記憶媒体からの認証情報応答であることを検証できたとき、前記許可情報を前記端末情報と前記情報記憶媒体の媒体固有情報に関係付けてデータベースに登録する（１）または（２）に記載の情報処理装置。  （４）  前記認証処理部は、前記情報端末からの認可情報検証要求で示された端末情報と認可情報が前記データベースに登録されている情報との比較結果に基づき許可情報検証応答を生成して前記情報端末に通知する（３）に記載の情報処理装置。  （５）  前記認証処理部は、前記携帯端末からの前記認可情報と暗号化ＩＤコード属性情報を含む前記携帯端末からの暗号化ＩＤコードの要求に応じて、暗号化ＩＤコードを生成して前記携帯端末へ出力して、出力した暗号化ＩＤコードを前記端末情報と前記許可情報と関係付けてデータベースに登録する（２）に記載の情報処理装置。  （６）  前記認証処理部は、前記情報端末からの暗号化ＩＤコード検証要求で示された端末情報と暗号化ＩＤコードが前記データベースに登録されている情報との比較結果に基づき暗号化ＩＤコード検証応答を生成して前記情報端末に通知する。
【符号の説明】
【０１１８】  １０・・・情報処理システム  ２０・・・情報記憶媒体  ２１・・・アンテナ  ２２・・・電源部  ２３・・・通信部  ２４、３４，４４・・・記憶部  ２５、３８，４６・・・制御部  ３０・・・携帯端末  ３１、４１，５３・・・入力部  ３２・・・ＮＦＣ部  ３３、４３，５１・・・ネットワーク通信部  ３５，４５，５４・・・表示部  ３６・・・位置検出部  ３７・・・撮像部  ４０・・・情報端末  ４２・・・許可情報取得部  ５０・・・情報処理装置  ５２・・・データベース  ５５・・・認証処理部  ６０・・・ネットワーク  ７０・・・端末情報提示部
【図１】
2020174802.tif 000003
【図２】
2020174802.tif 000004
【図３】
2020174802.tif 000005
【図４】
2020174802.tif 000006
【図５】
2020174802.tif 000007
【図６】
2020174802.tif 000008
【図７】
2020174802.tif 000009
【図８】
2020174802.tif 000010
【図９】
2020174802.tif 000011
【図１０】
2020174802.tif 000012
【図１１】
2020174802.tif 000013
【国際調査報告】
2020174802.tif 000014
2020174802.tif 000015
2020174802.tif 000016
2020174802.tif 000017